(57)【特許請求の範囲】
【請求項１】
食器洗浄機をキャビネット上に設置する際に用いられる設置固定用治具をキャビネットの所定の位置に取り付けるための位置決め用型紙であって、
型紙本体が、剛性を有する紙系材料または樹脂系材料を用いて形成されており、
前記キャビネットの一部と係合して、前記型紙本体が前記キャビネットに対して所定の位置に保持されるようにする係合部であって、前記キャビネットの一部と係合することにより、前記キャビネットとの関係において、前記型紙本体の、一対の辺と平行な方向における位置と、前記一対の辺と直交する方向における位置の少なくとも一方の位置が定まるように構成されている係合部と、
前記設置固定用治具を取り付けるべき位置を表示する取り付け位置表示部と
を備えていることを特徴とする位置決め用型紙。
【請求項２】
前記型紙本体が略方形で、一つの辺側の端部が、略直角に折り曲げられ、
前記一つの辺と直交する互いに対向する一対の辺側の端部がそれぞれ、前記一つの辺側の端部を折り曲げた方向と同一の面側に折り曲げられ、かつ、
前記一つの辺側の端部および前記互いに対向する一対の辺側の端部にはそれぞれ所定の位置に係合溝が形成され、前記一方の辺側の端部に形成された係合溝と前記互いに対向する一対の辺側の端部に形成された係合溝とを係合させることにより、前記一つの辺側の端部および前記互いに対向する一対の辺側の端部が略直角に折り曲げられた状態が保持されるように構成されているとともに、
前記型紙本体の所定の位置には、前記一つの辺と略平行に切り込みが設けられており、前記一つの辺側の端部を略直角に折り曲げることにより、折り曲げた方向とは逆側の面に、前記キャビネットの前面と係合する係合突起が形成されるように構成されていること
を特徴とする請求項１記載の位置決め用型紙。
【請求項３】
前記互いに対向する一対の辺と略直交する一方の辺の使用状態における長さが、キャビネットの幅と略同一となるように形成されており、前記互いに対向する一対の辺と略直交する一方の辺の両端を前記キャビネットの幅方向の両端部に一致させることにより、位置決め用型紙とキャビネットの幅方向の位置が定まるように構成されていることを特徴とする請求項２記載の位置決め用型紙。
【請求項４】
前記キャビネットの上面の、幅方向両端部に突出壁が設けられている場合において、前記互いに対向する一対の辺側の略直角に折り曲げられた部分が、前記突出壁の内面に当接して、位置決め用型紙とキャビネットの幅方向の位置が定まるように構成されていることを特徴とする請求項２または３記載の位置決め用型紙。
【請求項５】
係合部が前記キャビネットと係合し、所定の位置に保持された前記位置決め用型紙の位置を固定するために、前記型紙本体の、前記キャビネットの上面との対向面に両面テープが配設されていることを特徴とする請求項１〜４のいずれかに記載の位置決め用型紙。
【請求項６】
前記取り付け位置表示部が前記型紙本体に形成された切り欠き部であることを特徴とする請求項１〜５のいずれかに記載の位置決め用型紙。
【請求項７】
前記設置固定用治具が型紙本体に予め取り付けられていることを特徴とする請求項１〜６のいずれかに記載の位置決め用型紙。
【請求項８】
前記設置固定用治具が前記切り欠き部にテープ止めすることにより取り付けられていることを特徴とする請求項６記載の位置決め用型紙。
【請求項９】
前記型紙本体の表面に、前記設置固定用治具の取り付け時の施工方法が印刷されていることを特徴とする請求項１〜８のいずれかに記載の位置決め用型紙。
【請求項１０】
前記型紙本体には、折り曲げた状態で、食器洗浄機の梱包内に同梱できるように、折り曲げ加工を容易にするための予備加工が施されていることを特徴とする請求項１〜９のいずれかに記載の位置決め用型紙。
【請求項１１】
請求項１〜１０のいずれかに記載の位置決め用型紙を用いて、食器洗浄機をキャビネット上に設置する際に用いられる設置固定用治具をキャビネットの所定の位置に取り付けるための設置固定用治具の取り付け方法であって、
前記位置決め用型紙をキャビネット上の所定の位置にセットする工程と、
前記位置決め用型紙の、前記設置固定用治具を取り付けるべき位置に取り付けられた設置固定用治具をキャビネットに固定する工程と
を具備することを特徴とする設置固定用治具の取り付け方法。
【発明の詳細な説明】
【技術分野】
【０００１】
本願発明は、位置決め用型紙およびそれを用いた設置固定用治具の取り付け方法に関し、詳しくは、食器洗浄機を設置する際に、食器洗浄機を固定するために用いられる設置固定用治具の位置決め用型紙およびそれを用いた設置固定用治具の取り付け方法に関する。
【背景技術】
【０００２】
図６に示すように、本体ケース５１内に洗浄槽（図示せず）が引き出し可能に収容された構造を有し、キャビネット５２上に載置して使用される従来の食器洗浄機においては、キャビネット５２に、本体ケース５１の前後方向への移動を防止するための固定治具５３および、洗浄槽を引き出したときに前方下部への倒れを防止するための転倒防止治具５４を取り付け、本体ケース５１の固定用係合部５５を上記の固定治具５３に係合させるとともに、本体ケース５１の転倒防止用係合部５６を上記の転倒防止治具５４に係合させることにより、本体ケース５１の前後方向への移動や、前方下部への転倒を防止するようにしたものがある。
【０００３】
しかし、固定治具５３や転倒防止治具５４（以下「設置固定用治具」ともいう）を取り付ける場合、施工説明書に記載された寸法に基づいて取付位置（ビス用穴位置など）をけがいて行うと、時間がかかるばかりでなく、位置精度も低いという問題点がある。
【０００４】
また、図７に示すように、薄手の上質紙を利用した型紙６１を用いて設置固定用治具（固定治具５３，転倒防止治具５４）の位置決めを行うようにした場合、型紙６１をテープ６２で固定する際に、例えば、キャビネット５２の前面端部５２ａと、型紙６１の先端６１ａとを位置合わせして、型紙６１をテープ６２で固定することが必要となるが、型紙６１は位置ずれしやすく、信頼性が低いという問題点がある。
【０００５】
そして、このような位置ずれが生じると、食器洗浄機が所定の位置よりも前方に飛び出した位置や、所定の位置よりも奥側の位置に固定されることになり、例えば、両隣のキッチンドア面と食器洗浄機のドア面が面一にならずに、見栄えが悪くなったり、洗浄槽が完全に閉まりきらずに、作動不良を生ずるなどの問題点がある。
【０００６】
また、上述の方法以外にも、型紙を用いて浮き上がり防止金具を取り付ける方法が提案されている（特許文献１参照）。しかし、この方法の場合にも、型紙の位置ずれが生じやすく、信頼性が低いという問題点がある。
【特許文献１】特開平７−２６５２４２号公報
【発明の開示】
【発明が解決しようとする課題】
【０００７】
本願発明は上記課題を解決するものであり、食器洗浄機をキャビネット上に設置する際に用いられる設置固定用治具を、精度よく、しかも容易にキャビネットの所定の位置に取り付けることが可能な位置決め用型紙、および該位置決め用型紙を用いて設置固定用治具をキャビネットに取り付ける方法を提供することを目的とする。
【課題を解決するための手段】
【０００８】
上記課題を解決するために、本願発明（請求項１）の位置決め用型紙は、
食器洗浄機をキャビネット上に設置する際に用いられる設置固定用治具をキャビネットの所定の位置に取り付けるための位置決め用型紙であって、
型紙本体が、剛性を有する紙系材料または樹脂系材料を用いて形成されており、
前記キャビネットの一部と係合して、前記型紙本体が前記キャビネットに対して所定の位置に保持されるようにする係合部であって、前記キャビネットの一部と係合することにより、前記キャビネットとの関係において、前記型紙本体の、一対の辺と平行な方向における位置と、前記一対の辺と直交する方向における位置の少なくとも一方の位置が定まるように構成されている係合部と、
前記設置固定用治具を取り付けるべき位置を表示する取り付け位置表示部と
【０００９】
また、請求項２の位置決め用型紙は、請求項１の発明の構成において、
前記型紙本体が略方形で、一つの辺側の端部が、略直角に折り曲げられ、
前記一つの辺と直交する互いに対向する一対の辺側の端部がそれぞれ、前記一つの辺側の端部を折り曲げた方向と同一の面側に折り曲げられ、かつ、
前記一つの辺側の端部および前記互いに対向する一対の辺側の端部にはそれぞれ所定の位置に係合溝が形成され、前記一方の辺側の端部に形成された係合溝と前記互いに対向する一対の辺側の端部に形成された係合溝とを係合させることにより、前記一つの辺側の端部および前記互いに対向する一対の辺側の端部が略直角に折り曲げられた状態が保持されるように構成されているとともに、
前記型紙本体の所定の位置には、前記一つの辺と略平行に切り込みが設けられており、前記一つの辺側の端部を略直角に折り曲げることにより、折り曲げた方向とは逆側の面に、前記キャビネットの前面と係合する係合突起が形成されるように構成されていること
を特徴としている。
【００１０】
また、請求項３の位置決め用型紙は、請求項２記載の発明の構成において、前記互いに対向する一対の辺と略直交する一方の辺の使用状態における長さが、キャビネットの幅と略同一となるように形成されており、前記互いに対向する一対の辺と略直交する一方の辺の両端を前記キャビネットの幅方向の両端部に一致させることにより、位置決め用型紙とキャビネットの幅方向の位置が定まるように構成されていることを特徴としている。
【００１１】
また、請求項４の位置決め用型紙は、請求項２または３記載の発明の構成において、前記キャビネットの上面の、幅方向両端部に突出壁が設けられている場合において、前記互いに対向する一対の辺側の略直角に折り曲げられた部分が、前記突出壁の内面に当接して、位置決め用型紙とキャビネットの幅方向の位置が定まるように構成されていることを特徴としている。
【００１２】
また、請求項５の位置決め用型紙は、請求項１〜４のいずれかに記載の発明の構成において、係合部が前記キャビネットと係合し、所定の位置に保持された前記位置決め用型紙の位置を固定するために、前記型紙本体の、前記キャビネットの上面との対向面に両面テープが配設されていることを特徴としている。
【００１３】
また、請求項６の位置決め用型紙は、請求項１〜５のいずれかに記載の発明の構成において、前記取り付け位置表示部が前記型紙本体に形成された切り欠き部であることを特徴としている。
【００１４】
また、請求項７の位置決め用型紙は、請求項１〜６のいずれかに記載の発明の構成において、前記設置固定用治具が型紙本体に予め取り付けられていることを特徴としている。
【００１５】
また、請求項８の位置決め用型紙は、請求項６の発明の構成において、前記設置固定用治具が前記型紙本体の、前記設置固定用治具の取り付け位置表示部である前記切り欠き部にテープ止めすることにより取り付けられていることを特徴としている。
【００１６】
また、請求項９の位置決め用型紙は、請求項１〜８のいずれかに記載の発明の構成において、前記型紙本体の表面に、前記設置固定用治具の取り付け時の施工方法が印刷されていることを特徴としている。
【００１７】
また、請求項１０の位置決め用型紙は、請求項１〜９のいずれかに記載の発明の構成において、前記型紙本体には、折り曲げた状態で、食器洗浄機の梱包内に同梱できるように、折り曲げ加工を容易にするための予備加工が施されていることを特徴としている。
【００１８】
また、本願発明（請求項１１）の設置固定用治具の取り付け方法は、
請求項１〜１０のいずれかに記載の位置決め用型紙を用いて、食器洗浄機をキャビネット上に設置する際に用いられる設置固定用治具をキャビネットの所定の位置に取り付けるための設置固定用治具の取り付け方法であって、
前記位置決め用型紙をキャビネット上の所定の位置にセットする工程と、
前記位置決め用型紙の、前記設置固定用治具を取り付けるべき位置に取り付けられた設置固定用治具をキャビネットに固定する工程と
を具備することを特徴としている。
【発明の効果】
【００１９】
本願発明（請求項１）の位置決め用型紙は、型紙本体が、剛性を有する紙系材料または樹脂系材料を用いて形成されているため、変形が生じにくく、かつ、キャビネットの一部と係合して、前記型紙本体が前記キャビネットに対して所定の位置に保持されるようにする係合部であって、キャビネットの一部と係合することにより、キャビネットとの関係において、型紙本体の、一対の辺と平行な方向における位置と、前記一対の辺と直交する方向における位置の少なくとも一方の位置が定まるように構成されている係合部を備えているため、位置ずれが生じにくく、さらに、設置固定用治具を取り付けるべき位置を表示する取り付け位置表示部とを備えているので、設置固定用治具をキャビネットの所定の位置に複雑な工程を必要とすることなく、容易かつ確実に取り付けることが可能になる。したがって、本願発明の位置決め用型紙を用いることにより、食器洗浄機を、例えば、両隣のキッチンドア面と食器洗浄機のドア面が面一にならずに見栄えが悪くなったり、洗浄槽が完全に閉まりきらずに、作動不良を生じたりすることのないように、キャビネット上の所定の位置に確実に設置することが可能になる。
なお、本願発明において、剛性を有する紙系材料または樹脂系材料の好ましい例としては段ボール紙が挙げられるが、本願発明においては、段ボール紙に限らず、適度な剛性を備えたボール紙などの厚紙や、適度な剛性を備えた発泡樹脂シート、あるいは気泡を含まず、適度な剛性を備えたポリエチレンシート、ウレタン樹脂シートなどの種々の紙系材料または樹脂系材料を用いることが可能である。
【００２０】
なお、係合部を、キャビネットの一部と係合して、一対の辺と平行な方向における位置と、一対の辺と直交する方向における位置の少なくとも一方の位置が定まるように構成しているので、少なくとも一対の辺と平行な方向における位置と、一対の辺と直交する方向における位置の少なくとも一方の位置が確実に定まることになるため、設置固定用治具をキャビネットの所定の位置に複雑な工程を必要とすることなく、容易かつ確実に取り付けることが可能になり、本願発明を実効あらしめることができる。
【００２１】
また、請求項２の位置決め用型紙のように、請求項１または２の発明の構成において、型紙本体が略方形で、一つの辺側の端部が、略直角に折り曲げられ、一つの辺と直交する互いに対向する一対の辺側の端部がそれぞれ、一つの辺側の端部を折り曲げた方向と同一の面側に折り曲げられ、かつ、一つの辺側の端部および互いに対向する一対の辺側の端部にはそれぞれ所定の位置に係合溝が形成され、一方の辺側の端部に形成された係合溝と前記互いに対向する一対の辺側の端部に形成された係合溝とを係合させることにより、一つの辺側の端部および互いに対向する一対の辺側の端部が略直角に折り曲げられた状態が保持されるように構成されているとともに、型紙本体の所定の位置には、一つの辺と略平行に切り込みが設けられており、一つの辺側の端部を略直角に折り曲げることにより、折り曲げた方向とは逆側の面に、キャビネットの前面と係合する係合突起が形成されるようにした場合、下面側にキャビネットの前面と係合する係合突起を備えた形状を確実に保持して、前後方向の位置を確実に定めることが可能になる。したがって、設置固定用治具をキャビネットの所定の位置に複雑な工程を必要とすることなく、容易かつ確実に取り付けることが可能になり、本願発明を実効あらしめることができる。
【００２２】
また、請求項３の位置決め用型紙のように、請求項２記載の発明の構成において、互いに対向する一対の辺と略直交する一方の辺の使用状態における長さが、キャビネットの幅と略同一となるように形成されており、互いに対向する一対の辺と略直交する一方の辺の両端をキャビネットの幅方向の両端部に一致させることにより、位置決め用型紙とキャビネットの幅方向の位置が定まるように構成した場合、位置決め用型紙とキャビネットの幅方向の位置を確実に定めることが可能になる。したがって、設置固定用治具をキャビネットの所定の位置に複雑な工程を必要とすることなく、容易かつ確実に取り付けることが可能になり、本願発明を実効あらしめることができる。
【００２３】
また、請求項４の位置決め用型紙のように、請求項２または３記載の発明の構成において、キャビネットの上面の、幅方向両端部に突出壁が設けられている場合において、互いに対向する一対の辺側の略直角に折り曲げられた部分が、突出壁の内面に当接して、位置決め用型紙とキャビネットの幅方向の位置が定まるように構成した場合、位置決め用型紙とキャビネットの幅方向の位置を確実に定めることが可能になり、設置固定用治具をキャビネットの所定の位置に複雑な工程を必要とすることなく、容易かつ確実に取り付けることが可能になり、本願発明を実効あらしめることができる。
【００２４】
また、請求項５の位置決め用型紙のように、請求項１〜４のいずれかに記載の発明の構成において、係合部がキャビネットと係合し、所定の位置に保持された位置決め用型紙の位置を固定するために、型紙本体の、キャビネットの上面との対向面に両面テープが配設された構成とすることにより、位置決め用型紙が所定の位置にある状態で、その位置を両面テープにより確実に固定することが可能なり、本願発明をさらに実効あらしめることができる。
【００２５】
また、請求項６の位置決め用型紙のように、請求項１〜５のいずれかに記載の発明の構成において、取り付け位置表示部を型紙本体に形成された切り欠き部とすることにより、設置固定用治具を切り欠き部に嵌め込むことにより、容易かつ確実に設置固定用治具を所定の位置に取り付けることが可能になり、本願発明をより実効あらしめることが可能になる。
【００２６】
また、請求項７の位置決め用型紙のように、請求項１〜６のいずれかに記載の発明の構成において、設置固定用治具を型紙本体に予め取り付けるようにした場合、位置決め用型紙をキャビネット上にセットした後、直ちに設置固定用治具をキャビネットに取り付けることが可能になり、より確実に、しかもより容易に設置固定用治具のキャビネットへの取り付けを行うことが可能になり、本願発明をさらに実効あらしめることができる。
【００２７】
また、請求項８の位置決め用型紙のように、請求項６の発明の構成において、設置固定用治具が切り欠き部にテープ止めすることにより取り付けるようにした場合、型紙本体に設置固定用治具を容易かつ確実に保持させることが可能になるとともに、設置固定用治具が型紙本体に予め取り付けられた位置決め用型紙をキャビネット上にセットした後、直ちに設置固定用治具をキャビネットに取り付けることが可能になり、より確実に、しかもより容易に設置固定用治具のキャビネットへの取り付けを行うことが可能になり、本願発明をさらに実効あらしめることができる。
【００２８】
また、請求項９の位置決め用型紙のように、請求項１〜８のいずれかに記載の発明の構成において、型紙本体の表面に、設置固定用治具の取り付け時の施工方法を印刷することにより、型紙本体の表面に印刷された施工方法を確認しながら、より確実に設置固定用治具のキャビネットへの取り付けを行うことが可能になり、本願発明をさらに実効あらしめることができる。
【００２９】
また、請求項１０の位置決め用型紙のように、請求項１〜９のいずれかに記載の発明の構成において、折り曲げた状態で、食器洗浄機の梱包内に同梱できるように、型紙本体に折り曲げ加工を容易にするための予備加工を施しておくことにより、食器洗浄機の梱包内に同梱することがを可能になり、包装された状態の製品が多くなることを抑制することが可能になり、本願発明をより実効あらしめることができる。
【００３０】
また、本願発明（請求項１１）の設置固定用治具の取り付け方法は、請求項１〜１０のいずれかに記載の位置決め用型紙を用いて、食器洗浄機をキャビネット上に設置する際に用いられる設置固定用治具をキャビネットの所定の位置に取り付けるための設置固定用治具の取り付け方法であって、位置決め用型紙をキャビネット上の所定の位置にセットした後、位置決め用型紙の、設置固定用治具を取り付けるべき位置に取り付けられた設置固定用治具をキャビネットに固定するようにしているので、設置固定用治具をキャビネットの所定の位置に複雑な工程を必要とすることなく、容易かつ確実に取り付けることが可能になり、結果として、食器洗浄機を複雑な工程を必要とせず、所望の位置に確実に設置することが可能になる。
【発明を実施するための最良の形態】
【００３１】
以下に本願発明の実施例を示して、本願発明の特徴とするところをさらに詳しく説明する。
【実施例１】
【００３２】
図１(ａ)，(ｂ)，(ｃ)は本願発明の一実施例にかかる、食器洗浄機をキャビネット上に設置する際に用いられる設置固定用治具をキャビネットの所定の位置に取り付けるための位置決め用型紙を示す図であり、(ａ)は折りたたまれた位置決め用型紙を展開しつつある状態を示す図、(ｂ)は展開して、短辺側の端部を折り曲げた状態を示す図、(ｃ)は互いに対向する一対の長辺側の端部を折り曲げて、先に折り曲げられた短辺側の端部の係合溝に、互いに対向する一対の長辺側の端部を係合させた状態を示す図である。
【００３３】
この実施例の位置決め用型紙Ａは、図１(ａ)に示すように、折りたたんだ状態で食器洗浄機の梱包内に同梱できるように形成されており、容易に折りたたむことができるように、切り込み加工（折り曲げのための予備加工）１７が施されている。
【００３４】
そして、使用するにあたっては、図１(ｂ)に示すように、略長方形の型紙本体１の、短辺側の一つの辺１１の端部１１ａを略直角に折り曲げるとともに、図１(ｃ)に示すように、該一つの辺１１と直交する互いに対向する長辺側の一対の辺１２側の端部１２ａ，１２ｂをそれぞれ、同一の面側に略直角に折り曲げることにより使用可能な状態となるように構成されている。
【００３５】
また、一つの辺１１側の端部１１ａには係合溝２１が形成され、互いに対向する一対の辺１２側の端部１２ａ，１２ｂにはそれぞれ所定の位置に係合溝２２が形成されており、一方の辺１１側の端部１１ａに形成された係合溝２１と互いに対向する一対の辺１２側の端部１２ａ，１２ｂに形成された係合溝２２とを係合させることにより、一つの辺１１側の端部１１ａおよび互いに対向する一対の辺１２側の端部１２ａ，１２ｂが略直角に折り曲げられた状態が保持されるように構成されている。
【００３６】
さらに、型紙本体１の所定の位置には、一つの辺１１と略平行に切り込み１３が設けられており、一つの辺１１側の端部１１ａを略直角に折り曲げることにより、図１(ｂ），(ｃ)に示すように、折り曲げた方向とは逆側の面に、キャビネット３２（図２(ａ)，(ｂ)，図３(ａ)，(ｂ)）の前面と係合する係合突起１４が形成されるように構成されている。
【００３７】
また、一つの辺１１側の端部１１ａの寸法Ｓ（図１(ｂ)）は、キャビネット３２の幅Ｗ（図２(ａ)）と同じとされており、図２(ａ)，(ｂ)に示すように、一方の辺１１の端部１１ａの両端をキャビネット３２の幅方向の両端部に一致させることにより、位置決め用型紙Ａとキャビネット３２の幅方向の位置が定まるように構成されている。
【００３８】
なお、この実施例では、図２(ａ)，(ｂ)に示すように、キャビネット３２の上端が平坦である場合を例にとって説明しているが、例えば、図３(ａ)，(ｂ)に示すように、キャビネット３２として、上面の幅方向両端部に突出壁３７が設けられた構造を有するキャビネットを用いた場合には、位置決め用型紙Ａの一対の辺１２側の略直角に折り曲げられた部分１２ａ，１２ｂが、突出壁３７の内面に当接して、位置決め用型紙Ａとキャビネット３２の幅方向の位置が定まることになる。
【００３９】
さらに、この実施例１の位置決め用型紙においては、設置固定用治具Ｄ（この実施例では、食器洗浄機３０（図５参照）を構成する本体ケース３１の前後方向への移動を防止するための固定治具３３および、洗浄槽を引き出したときに前方下部への倒れを防止するための転倒防止治具３４）を取り付けるべき位置を表示する取り付け位置表示部１５が型紙本体１に形成された切り欠き部であり（図４参照）、設置固定用治具Ｄ（固定治具３３および転倒防止治具３４）が型紙本体１の取り付け位置表示部（切り欠き部）１５に接着テープ（図示せず）を用いて予め取り付けられている。
【００４０】
また、位置決め用型紙Ａの表面には、設置固定用治具Ｄ（固定治具３３および転倒防止治具３４）の取り付け時の施工方法が印刷されており、それを参照しながら確実に設置固定用治具Ｄの取り付けを行うことができるように構成されている。
【００４１】
また、位置決め用型紙Ａの裏面側には、係合突起１４などの係合部がキャビネット３２と係合した状態で位置決め用型紙Ａを所定の位置に接合固定するための両面テープ１６が配設されている。この両面テープ１６により、型紙本体１がキャビネット３２の上面に接合され、位置決め用型紙Ａの位置が固定されることになる。
【００４２】
次に、上述のように構成された位置決め用型紙Ａを用いて設置固定用治具Ｄ（固定治具３３および転倒防止治具３４）をキャビネット３２の上面に取り付ける方法について説明する。
【００４３】
(１)この位置決め用型紙Ａを用いて設置固定用治具Ｄを取り付けるにあたっては、まず、図１(ａ)に示すように、折りたたまれた状態の位置決め用型紙Ａを展開する。
【００４４】
(２)次に、図１(ｂ)に示すように、型紙本体１の、短辺側の一つの辺１１の端部１１ａを略直角に折り曲げるとともに、図１(ｃ)に示すように、該一つの辺１１と直交する互いに対向する長辺側の一対の辺１２側の端部１２ａ，１２ｂをそれぞれ、同一の面側に略直角に折り曲げた後、一方の辺１１側の端部１１ａに形成された係合溝２１と互いに対向する一対の辺１２側の端部１２ａ，１２ｂに形成された係合溝２２とを係合させることにより、一つの辺１１側の端部１１ａおよび互いに対向する一対の辺１２側の端部１２ａ，１２ｂが略直角に折り曲げられた状態とする。
【００４５】
(３)上記(２)の工程で折り曲げ処理を行った位置決め用型紙Ａを、裏面側の両面テープ１６の薄紙を剥がした状態で、図２(ａ)，(ｂ)に示すように、キャビネット３２の所定の位置に載置し、係合突起１４などの係合部がキャビネット３２と係合し、位置決め用型紙Ａが所定の位置にセットされた状態で、両面テープ１６により、位置決め用型紙Ａをキャビネット３２の上面に固定する。
【００４６】
(４)それから、設置固定用治具Ｄ（固定治具３３および転倒防止治具３４）を附属のねじで固定した後、図４に示すように、位置決め用型紙Ａを取り除く。これにより、設置固定用治具Ｄがキャビネット３２の上面に取り付けられ、食器洗浄機３０を設置することが可能な状態となる。
【００４７】
(５)その後、図５に示すように、食器洗浄機３０を構成する本体ケース３１に配設された固定用係合部３５を固定治具３３に係合させるとともに、本体ケース３１に配設された転倒防止用係合部３６を上記の転倒防止治具３４に係合させることにより、食器洗浄機３０をキャビネット３２上に設置する。
【００４８】
このように、本願発明の位置決め用型紙を用いることにより、設置固定用治具Ｄを効率よくしかも確実に、キャビネットの所定の位置に精度よく取り付けることが可能になる。その結果、食器洗浄機を、前後方向への移動や、前方下部への転倒を防止することが可能な態様でキャビネット上に設置することが可能になり、信頼性の高い施工を確実に実施することが可能になる。
【００４９】
なお、本願発明は、上記実施例に限定されるものではなく、設置固定用治具の具体的な形状や構造、型紙本体の構成や細部の具体的構造などに関し、発明の範囲内において、種々の応用、変形を加えることが可能である。
例えば、本願発明は、食器洗浄機に限らず、ガスコンロやグリル付き調理器具などの調理器具、食器棚やロッカーなどの収納家具などの種々の機器を、キャビネット上に設置固定用治具を用いて設置する場合に広く適用することが可能である。
【産業上の利用可能性】
【００５０】
上述のように、本願発明によれば、設置固定用治具を効率よくしかも確実に、キャビネットの所定の位置に精度よく取り付けることが可能になる。そして、その結果として、食器洗浄機を、前後方向への移動や、前方下部への転倒を防止することが可能な態様でキャビネット上に確実に設置することが可能になる。
したがって、本願発明は、キャビネット上に設置して使用される食器洗浄機の施工技術の分野に広く利用することができる。
【図面の簡単な説明】
【００５１】
【図１】(ａ)，(ｂ)，(ｃ)は本願発明の一実施例にかかる、食器洗浄機をキャビネット上に設置する際に用いられる設置固定用治具をキャビネットの所定の位置に取り付けるための位置決め用型紙を示す図であり、(ａ)は折りたたまれた位置決め用型紙を展開しつつある状態を示す図、(ｂ)は展開して、短辺側の端部を折り曲げた状態を示す図、(ｃ)は互いに対向する一対の長辺側の端部を折り曲げて、先に折り曲げられた短辺側の端部の係合溝に、互いに対向する一対の長辺側の端部を係合させた状態を示す図である。
【図２】(ａ)は、本願発明の一実施例にかかる位置決め用型紙を用いて設置固定用治具をキャビネットに取り付ける方法を示す図、(ｂ)は要部を拡大して示す図である。
【図３】本願発明の実施例１の変形例を示す図であり、(ａ)はそこで用いられるキャビネットの構造を示す図、(ｂ)は位置決め用型紙をセットした場合の要部を拡大して示す図である。
【図４】本願発明の実施例１の位置決め用型紙を用いて固定用治具をキャビネットに取り付けた状態を示す図である。
【図５】本願発明の実施例１の位置決め用型紙を用いて固定用治具を取り付けたキャビネット上に食器洗浄機を設置した状態を示す図である。
【図６】従来の、キャビネットへの設置固定用治具の取り付け方法を示す図である。
【図７】従来の方法で食器洗浄機をキャビネット上に設置した状態を示す図である。
【符号の説明】
【００５２】
１            型紙本体
１１          短辺側の一つの辺
１１ａ        短辺側の一つの辺の端部
１２          互いに対向する長辺側の一対の辺
１２ａ，１２ｂ      互いに対向する長辺側の一対の辺の端部
１３          切り込み
１４          係合突起
１５          取り付け位置表示部（切り欠き部）
１６          両面テープ
１７          切り込み加工
２１，２２    係合溝
３０          食器洗浄機
３１          本体ケース
３２          キャビネット
３３          固定治具
３４          転倒防止治具
３５          固定用係合部
３６          転倒防止用係合部
【図１】
0004689427.tif 000002
【図２】
0004689427.tif 000003
【図３】
0004689427.tif 000004
【図４】
0004689427.tif 000005
【図５】
0004689427.tif 000006
【図６】
0004689427.tif 000007
【図７】
0004689427.tif 000008